(57)【要約】【課題】送電線の振動を防止するダブルトーショナルダンパの重錘の落下を防止するダブルトーショナルダンパを提供することができる。【解決手段】電線把持クランプ３０は、抑止線圧縮穴３７と、抑止線圧縮穴３７の上部にワイヤーネット圧縮穴３９とを有し、重錘２０は、抑止線１０の端部を固着する固着部２５を有し抑止線１０の中央部は、抑止線圧縮穴３７内において、圧縮固着され、中央部が抑止線圧縮穴３７内において圧縮固着された抑止線１０の両側は、ワイヤーネット４０で覆われ、ワイヤーネット４０の電線把持クランプ３０側のワイヤーネット端は、ワイヤーネット圧縮穴３９内において圧縮固着され、ワイヤーネット４０で覆われた抑止線１０の両端は、ワイヤーネット４０の他端と共に重錘２０の固着部２５に圧縮固着される。【選択図】      図１
2013188064.tif 000002
【特許請求の範囲】
【請求項１】
抑止線と前記抑止線の両端に固着された重錘と前記抑止線の中央部を固着した電線把持クランプとからなるダブルトーショナルダンパにおいて、
前記電線把持クランプは、抑止線圧縮穴と、前記抑止線圧縮穴の上部にワイヤーネット圧縮穴とを有し、
前記重錘は、前記抑止線の端部を固着する固着部を有し
前記抑止線の中央部は、前記抑止線圧縮穴内において、圧縮固着され、
前記中央部が前記抑止線圧縮穴内において圧縮固着された前記抑止線の両側は、ワイヤーネットで覆われ、前記ワイヤーネットの前記電線把持クランプ側のワイヤーネット端は、前記ワイヤーネット圧縮穴内において圧縮固着され、
前記ワイヤーネットで覆われた抑止線の両端は、前記ワイヤーネットの他端と共に前記重錘の固着部に圧縮固着されることを特徴とするダブルトーショナルダンパ。
【請求項２】
抑止線と前記抑止線の両端に固着された重錘と前記抑止線の中央部に固着された電線把持クランプとからなるダブルトーショナルダンパにおいて、
前記電線把持クランプは、抑止線圧縮穴を具備し、且つ前記電線把持クランプ上に取付けられ、前記抑止線に対し単独に併設されるワイヤーネットを圧縮固着するワイヤーネット止め金具を有し、前記ワイヤーネット止め金具はワイヤーネット圧縮穴を具備し、
前記重錘は、前記抑止線の端部を固着する固着部を有し、
前記抑止線の中央部は、前記抑止線圧縮穴内において、圧縮固着され、
前記ワイヤーネットの中央部は、前記ワイヤーネット圧縮穴内において、圧縮固着され、
前記抑止線の両端と、前記抑止線と併設された前記ワイヤーネットの両端とは、共に前記重錘の固着部に圧縮固着されることを特徴とするダブルトーショナルダンパ。
【発明の詳細な説明】
【技術分野】
【０００１】
本発明は、送電線の振動防止装置に係り、より詳しくは、ダブルトーショナルダンパの重錘の落下を防止するダブルトーショナルダンパに関する。
【背景技術】
【０００２】
送電線に風が吹き付けることにより、電線の風下側には交播渦流であるカルマン渦が発生し、振幅が１〜数十ミリメートルの振動が生じる。この振動は、送電線の固定点となる懸垂支持点や耐張クランプなどの振動の反射点で電線に繰返し応力を与え、送電線に経時的な金属疲労劣化や破断をもたらす。これを防止するため、送電線の支持点の近傍には振動防止装置が取付けられる。
【０００３】
図５は、従来の振動防止装置であるダブルトーショナルダンパの構成を示すダンパ構成図である。図５において、従来のダブルトーショナルダンパ３００は、抑止線１０、重錘２０、及び電線把持用クランプ３０を有する。重錘２０は、抑止線１０に固着される固着部２５を具備し、抑止線１０の両端に固着されている。電線把持用クランプ３０は、送電線５０を把持するクランプ部３５と、抑止線１０に固着される抑止線圧縮穴３７とを具備し、抑止線１０の中央部において抑止線圧縮穴３７が圧縮され、抑止線１０と固着し、クランプ部３５により送電線５０に取付け設置されている。
【０００４】
図５のダブルトーショナルダンパ３００は、風により生じたカルマン渦の振動が、クランプ部３５を介して抑止線１０及び両端の重錘２０に伝わる。これにより、抑止線１０には、新たな振動が発生する。この新たな振動は、カルマン渦による振動とは位相や周期が異なり、カルマン渦による振動を打ち消すように作用し、送電線５０の経時的な疲労劣化や破断を防止している。
【０００５】
ところが、カルマン渦による振動を打ち消すように作用する新たな振動が長期間に渡り繰り返し抑止線５０に発生すると、抑止線５０を構成する複数の細線が互いに摩擦し合うことにより金属疲労劣化を生じて破断し、重錘２０が落下するという事故が発生していた。
【０００６】
特許文献１には、鋼撚り線からなる抑止線の中央部を電線把持用クランプに固着し、その両端に重錘を固着してなる架空線の防振装置において、架空線に過大な入力エネルギーが作用したときに生じる微風振動により、防振装置の抑止線の疲労破断に起因する重錘脱落を防止する防振装置に関し、既設、新設に拘わらず、また、抑止線の破断位置に拘わらず、重錘の脱落を防止する防振装置についての記載がある。
【先行技術文献】
【特許文献】
【０００７】
【特許文献１】特開２００６−２３０１７２号公報
【発明の概要】
【発明が解決しようとする課題】
【０００８】
本発明は、このような問題を解決するためになされたものであり、その目的は、送電線の振動を防止するダブルトーショナルダンパの重錘の落下を防止するダブルトーショナルダンパを提供する。
【課題を解決するための手段】
【０００９】
本発明のダブルトーショナルダンパは、抑止線と抑止線の両端に固着された重錘と抑止線の中央部を固着した電線把持クランプとからなるダブルトーショナルダンパにおいて、電線把持クランプは、抑止線圧縮穴と、抑止線圧縮穴の上部にワイヤーネット圧縮穴とを有し、重錘は、抑止線の端部を固着する固着部を有し、抑止線の中央部は、抑止線圧縮穴内において、圧縮固着され、中央部が抑止線圧縮穴内において圧縮固着された抑止線の両側は、ワイヤーネットで覆われ、ワイヤーネットの電線把持クランプ側のワイヤーネット端は、ワイヤーネット圧縮穴内において圧縮固着され、ワイヤーネットで覆われた抑止線の両端は、ワイヤーネットの他端と共に重錘の固着部に圧縮固着されることを特徴とする。
【００１０】
本発明のダブルトーショナルダンパは、抑止線と抑止線の両端に固着された重錘と抑止線の中央部に固着された電線把持クランプとからなるダブルトーショナルダンパにおいて、電線把持クランプは、抑止線圧縮穴を具備し、且つ電線把持クランプ上に取付けられ、抑止線に対し単独に併設されるワイヤーネットを圧縮固着するワイヤーネット止め金具を有し、ワイヤーネット止め金具はワイヤーネット圧縮穴を具備し、重錘は、抑止線の端部を固着する固着部を有し、抑止線の中央部は、抑止線圧縮穴内において、圧縮固着され、ワイヤーネットの中央部は、ワイヤーネット圧縮穴内において、圧縮固着され、抑止線の両端と、抑止線と併設されたワイヤーネットの両端とは、共に重錘の固着部に圧縮固着されることを特徴とする。
【発明の効果】
【００１１】
本発明によれば、送電線の振動を防止するダブルトーショナルダンパの重錘の落下防止機構を有するダブルトーショナルダンパを提供することができる。
【図面の簡単な説明】
【００１２】
【図１】本発明による第１の実施例を示すダブルトーショナルダンパの構成図。
【図２】第１の実施例の重錘の落下防止状態を示す落下防止図。
【図３】本発明による第２の実施例を示すダブルトーショナルダンパの構成図。
【図４】第２の実施例の重錘の落下防止状態を示す落下防止図。
【図５】従来のダブルトーショナルダンパの構成を示すダンパ構成図。
【発明を実施するための形態】
【実施例】
【００１３】
本発明の実施の形態について、図を用いて説明する。図１は、本発明による第１の実施例を示すダブルトーショナルダンパの構成図である。図１において、ダブルトーショナルダンパ１００は、抑止線１０と抑止線１０の両端に固着された重錘２０と抑止線１０の中央部を固着した電線把持クランプ３０とを有し、電線把持クランプ３０は、抑止線圧縮穴３７と、抑止線圧縮穴３７の上部にワイヤーネット圧縮穴４５とを有している。
【００１４】
重錘２０は、抑止線１０の端部を固着する固着部２５を有し、抑止線１０の中央部は、抑止線圧縮穴３７内において、圧縮固着され、中央部が抑止線圧縮穴３７内において圧縮固着された抑止線１０の両側は、ワイヤーネット４０で覆われている。また、ワイヤーネット４０の電線把持クランプ３０側のワイヤーネット端は、ワイヤーネット圧縮穴３９内において圧縮固着されている。ワイヤーネット４０で覆われた抑止線１０の両端は、ワイヤーネット４０の他端と共に重錘２０の固着部２５に圧縮固着されている。
【００１５】
図２は、第１の実施例の重錘の落下防止状態を示す落下防止図である。図２において、従来と同様に、カルマン渦による振動を打ち消すように作用する新たな振動が長期間に渡り繰り返し抑止線１０に発生すると、抑止線１０を構成する複数の細線が互いに摩擦し合うことにより金属疲労劣化を生じて破断し、重錘２０が落下しようとするが、抑止線１０は、ワイヤーネット４０で覆われているため、ワイヤーネット４０に保持されて落下することは無い。この状態を定期点検等により発見し、新たなダブルトーショナルダンパ１００と交換することにより、送電線の振動防止を維持することができる。
【００１６】
図３は、本発明による第２の実施例を示す抑止線の構成を示す構成図である。図３において、ダブルトーショナルダンパ２００は、抑止線１０と抑止線１０の両端に固着された重錘２０と抑止線１０の中央部に固着された電線把持クランプ３０とを有している。電線把持クランプ３０は、抑止線圧縮穴３７を具備し、且つ電線把持クランプ３０上に取付けられ、抑止線１０に対し単独に併設されるワイヤーネット４０を圧縮固着するワイヤーネット止め金具３６を有している。
【００１７】
ワイヤーネット止め金具３６はワイヤーネット圧縮穴３８を具備し、重錘２０は、抑止線１０の端部を固着する固着部２５を有している。抑止線１０の中央部は、抑止線圧縮穴３７内において、圧縮固着され、ワイヤーネット４０の中央部は、ワイヤーネット圧縮穴３８内において、圧縮固着され、且つ、抑止線１０の両端と、抑止線１０と併設されたワイヤーネット４０の両端とは、共に重錘２０の固着部２５に圧縮固着されている。
【００１８】
図４は、第２の実施例の重錘の落下防止状態を示す落下防止図である。図４において、従来と同様に、カルマン渦による振動を打ち消すように作用する新たな振動が長期間に渡り繰り返し抑止線１０に発生すると、抑止線１０を構成する複数の細線が互いに摩擦し合うことにより金属疲労劣化を生じて破断し、重錘２０が落下しようとするが、重錘２０の固着部２５は、ワイヤーネット４０と抑止線１０とに圧縮固着されているため、ワイヤーネット４０に保持されて落下することは無い。この状態を定期点検等により発見し、新たなダブルトーショナルダンパ１００と交換することにより、送電線の振動防止を維持することができる。
【００１９】
以上説明したように本発明によれば、送電線の振動を防止するダブルトーショナルダンパの重錘の落下を防止するダブルトーショナルダンパを提供することができる。
【符号の説明】
【００２０】
１０  抑止線
２０  重錘
２５  固着部
３０  電線把持用クランプ
３５  クランプ部
３６  ワイヤーネット止め金具
３７  抑止線圧縮穴
３８、３９  ワイヤーネット圧縮穴
４０  ワイヤーネット
５０  送電線
１００  本発明によるダブルトーショナルダンパ
１１０  従来のダブルトーショナルダンパ
【図１】
2013188064.tif 000003
【図２】
2013188064.tif 000004
【図３】
2013188064.tif 000005
【図４】
2013188064.tif 000006
【図５】
2013188064.tif 000007